(57)【特許請求の範囲】
【請求項１】
ジャッキアップ掘削リグの転倒モーメント抵抗を増加させるための方法であって、
該方法は、少なくとも１つの側方脚支持体をジャッキアップ脚の面に取り付けるステップを含み、該ジャッキアップ脚は、固定され、格子骨組みを有し、該側方脚支持体は、該ジャッキアップ脚の面に部分的に架かり、該側方脚支持体の幅は、該ジャッキアップ脚の幅より大きく、
該少なくとも１つの側方脚支持体は、該ジャッキアップ脚の外面、該ジャッキアップ脚の内面、および／または、該ジャッキアップ脚の頂点に取り付けられる、方法。
【請求項２】
前記ジャッキアップ脚は、該ジャッキアップ脚に取り付けられたスパッドカンを有する、請求項１に記載の方法。
【請求項３】
前記少なくとも１つの側方脚支持部材は、少なくとも１つ以上の水平支持部材、対角支持部材、および／または、垂直支持部材に架かる、請求項１に記載の方法。
【請求項４】
前記側方脚支持体は、前記ジャッキアップが掘削のために位置決めされるときに、部分的に土壌中に埋め込まれる、請求項１に記載の方法。
【請求項５】
前記側方脚支持体は、前記ジャッキアップが掘削のために位置決めされるときに、実質的に土壌中に埋め込まれる、請求項１に記載の方法。
【請求項６】
側方支持部材の転倒モーメント抵抗を増加させるための掘削システムであって、該掘削システムは、
掘削プラットフォームと、
該掘削プラットフォームを支持する少なくとも２つの脚であって、少なくとも１つの脚は、格子骨組みを有する、少なくとも２つの脚と、
該側方支持部材と
を備え、
該側方支持部材は、該格子骨組みを有する該脚の垂直方向の長さに沿って取り付けられており、
該側方支持部材は、該脚の面に部分的に架かり、
該側方支持部材の幅は、該格子骨組みを有する該脚の幅より大きく、
該側方支持部材は、該格子骨組みを有する該脚の外面、該格子骨組みを有する該脚の内面、および／または、該格子骨組みを有する該脚の頂点に取り付けられている、掘削システム。
【請求項７】
前記側方支持部材は、前記格子骨組みを有する前記脚が配備されるときに、部分的に海底に埋設される、請求項６に記載の掘削システム。
【請求項８】
前記側方支持部材は、前記格子骨組みを有する前記脚が配備されるときに、完全に海底に埋設される、請求項６に記載の掘削システム。
【請求項９】
少なくとも１つの側方支持プレートの転倒モーメント抵抗を増加させるための掘削プラットフォームの脚であって、該脚は、
頂基部および底基部を有する本体と、
該底基部に取り付けられたスパッドカンと、
該少なくとも１つの側方支持プレートと
を備え、
該少なくとも１つの側方支持プレートは、該スパッドカンより上側で該本体の垂直方向の長さに沿って取り付けられており、
該脚は、格子骨組みを有し、
該側方支持プレートは、該脚の面に部分的に架かり、
該側方支持プレートの幅は、該脚の幅より大きく、
該側方支持プレートは、該脚の少なくとも１つの内面、少なくとも１つの外面、および／または、少なくとも１つの頂点に取り付けられている、脚。
【請求項１０】
前記側方支持プレートは、前記脚が配備されたときに前記スパッドカンが海底に埋め込まれると、部分的に埋設される、請求項９に記載の脚。
【請求項１１】
前記側方支持プレートは、前記脚が配備されたときに前記スパッドカンが海底に埋め込まれると、完全に埋設される、請求項９に記載の脚。
【請求項１２】
少なくとも２つの支持部材の転倒モーメント抵抗を増加させるための装置であって、該装置は、該少なくとも２つの支持部材を含み、
各支持部材は、格子骨組みをさらに含み、
該格子骨組みは、複数の垂直方向の部材をさらに含み、該複数の垂直方向の部材は、該支持部材が構成される多面体の縁を規定するように、相互に平行であり、側方に間隔を空けられており、
該支持部材は、該支持部材の垂直方向の長さに沿って取り付けられた少なくとも１つの側方脚支持体をさらに含み、
該側方脚支持体は、該支持部材の面に部分的に架かり、
該側方脚支持体の幅は、該垂直方向の部材の幅より大きく、
該支持部材は、開口格子骨組みを形成する、複数の垂直支持部材、複数の水平支持部材、および／または、複数の対角支持部材に固定され、複数の垂直支持部材、複数の水平支持部材、および／または、複数の対角支持部材を含み、
該複数の垂直方向の部材は、一対の垂直方向の部材の間に延在することによって面を形成する該複数の水平支持部材によって相互接続され、
該複数の垂直方向の部材は、該複数の対角支持部材によってさらに相互接続され、
該側方脚支持体は、該支持部材の少なくとも１つの内面、少なくとも１つの外面、および／または、少なくとも１つの頂点に取り付けられている、装置。
【請求項１３】
前記多面体は、角柱である、請求項１２に記載の装置。
【請求項１４】
前記角柱は、３個、４個、５個、６個、７個、８個、９個、１０個の縁からなる群より選択される縁を有する、請求項１３に記載の装置。
【請求項１５】
前記少なくとも２つの支持部材は、内面の系を形成し、前記側方脚支持体は、少なくとも１つの内面に取り付けられている、請求項１２に記載の装置。
【請求項１６】
前記少なくとも２つの支持部材は、外面の系を形成し、前記側方脚支持体は、少なくとも１つの外面に取り付けられている、請求項１２に記載の装置。
【請求項１７】
前記側方脚支持体は、前記支持部材の少なくとも１つの頂点に取り付けられている、請求項１２に記載の装置。
【請求項１８】
前記少なくとも１つの側方脚支持体は、部分的に、および／または、完全に海底に埋め込まれている、請求項１２に記載の装置。
【請求項１９】
少なくとも２つの側方脚支持体の組み合わせは、前記支持部材に取り付けられ、少なくとも１つの側方脚支持体は、該側方脚支持体の長さの全体にわたって種々の水平幅を有する、請求項１２に記載の装置。
【発明の詳細な説明】
【技術分野】
【０００１】
（関連出願の相互参照）
本願は、２００８年５月２３日出願の米国仮出願第６１／０５５，７５２号の利益を主張し、この仮出願は、その全体が本明細書において参考により援用される。
【０００２】
（技術分野）
本発明は、概して、海洋掘削装置に関し、具体的には、本発明は、周囲土壌の移動に対するジャッキアップ掘削リグの脚の側方抵抗を向上させるための装置および方法を提供する。さらに、本発明は、側方支持プレートを支持部材の外面、内面、および／または頂点に取り付けることによって、支持部材の側方抵抗を増加させるための装置および方法を提供する。
【背景技術】
【０００３】
（発明の背景）
近年、さらなる原油、ガス、および他の鉱物資源に対する必要性が、海洋域からのそのような資源の探査および採取活動の増加をもたらしている。必要な探査掘削、生産掘削、および場合によっては石油化学処理を行うために、そのような活動を行うことができる、安定したプラットフォーム構造を提供することが必要である。小規模な、またはわずかな海洋貯留地を有する場所では、鉱物を採取する際に、単一のプラットフォーム構造を複数の連続する貯留地で利用できるようにする、移動式海洋ジャッキアッププラットフォームを組み立てる手法が取り入れられている。
【０００４】
標準的なジャッキアップユニットは、浮揚性のある外殻を有し、また輸送中は外殻から上向きに突出する、別個の支持脚を有する。ユニットが所望の場所に到達すると、支持脚が海底と接触するように下降され、ユニットが水位よりも高くなるように上昇される。特定の場所での運用が完了すると、構造物は、別の現場に移動させることができる。
【０００５】
海洋域における原油およびガスの探査および採取活動の増加、およびジャッキアップリグの移動性は、海洋掘削現場の増加をもたらしている。この海洋掘削現場の増加は、特にメキシコ湾および東南アジア等の、熱帯性暴風雨が生じやすい地域で、環境的な要因によって海洋掘削装置が損傷を受ける可能性を増加させる。
【０００６】
ジャッキアップユニットは、次の主要な３つのタイプの潜在的な事故によって失われる、または損傷を受け得る。（１）環境負荷のため、ユニットの重量を転倒モーメントと釣り合わせることができないときの転倒、（２）スパッドカン（またはマット）の初期の貫通不足のため、風下側の脚の突然の貫通（パンチスルー）、または風上側の脚の滑動によってもたらされる土壌破壊、および／または（３）通常、脚と外殻との接続部といった重要な区域で生じる脚の損傷。
【０００７】
これらの３つのタイプの事故は、しばしば密接に関連する。ジャッキアップモードの際にユニットのデッキおよび脚に印加される、ほぼ水平の環境負荷（波、風、および海流による）は、構造体を転倒させる傾向があるモーメントを発生させる。加えて、過度の転倒モーメントは、通常は脚への損傷をもたらす、脚の突然の貫通を生じさせ得る。
【０００８】
スパッドカンの深い貫通で土壌中に埋め込まれた脚部材は、相当な量の基礎の側方抵抗を有する。例えば、転倒モーメント容量の増加は、少なくとも６０フィートの貫通を有する領域において、最高で４０％に達し得る。この転倒モーメントの増加は、周囲土壌の移動に対する、翼弦および支柱の側方抵抗に起因している。基礎の側方抵抗が増加すると、ジャッキアップリグのサバイバビリティが向上する。この増加したサバイバビリティは、特に、メキシコ湾および東南アジア等の、熱帯性暴風雨が生じやすい地域で有益である。
【発明の概要】
【発明が解決しようとする課題】
【０００９】
（発明の簡単な概要）
したがって、周囲土壌の移動に対して、開口格子構造体を有する支持部材の側方抵抗を増加させる必要がある。具体的には、ジャッキアップ掘削リグの脚の転倒モーメント抵抗を向上させる必要がある。
【課題を解決するための手段】
【００１０】
本発明は、ジャッキアップ掘削リグの転倒モーメント抵抗を増加させるための方法、システム、および装置を目的とする。概して、本発明は、少なくとも１つの側方脚支持体を少なくとも１つのジャッキアップ脚に取り付けることによって、ジャッキアップ掘削リグの転倒モーメント抵抗を増加させるための方法であって、該ジャッキアップ脚は、固定され、開口格子骨組みを有する、方法を提供する。いくつかの実施形態では、少なくとも１つの側方脚支持体は、ジャッキアップ脚の外面、ジャッキアップ脚の内面、および／またはジャッキアップ脚の頂点に取り付けられる。ある場合では、ジャッキアップ脚は、それに取り付けられたスパッドカンを有する。他の場合では、ジャッキアップ脚は、取り付けられたスパッドカンを有さず、ジャッキアップ脚は、他の何らかの同等の手段によって海底に固定される。
【００１１】
具体的な例では、少なくとも１つの側方脚支持体は、スパッドカンに取り付けられる。いくつかの実施形態では、側方脚支持体が部分的に土壌中に埋め込まれるように、スパッドカンが土壌中に埋め込まれる。他の実施形態では、側方脚支持体が実質的に土壌中に埋め込まれるように、スパッドカンが土壌中に埋め込まれる。
【００１２】
さらに、本発明は、掘削プラットフォームと、掘削プラットフォームを支持する少なくとも１つの脚とを含む、掘削システムを提供する。脚は、開口格子骨組みを有し、掘削プラットフォームより下側に、そして海底に延在し、脚の垂直方向の長さに沿って取り付けられている少なくとも１つの側方支持部材を有する。いくつかの実施形態では、側方支持部材は、脚の外面、脚の内面、および／または脚の頂点に取り付けられる。さらなる実施形態では、側方支持部材は、部分的に海底に埋設される。代替の実施形態では、側方支持部材は、完全に海底に埋設される。
【００１３】
同様に、本発明は、頂基部および底基部を有する本体と、底基部に取り付けられたスパッドカンと、スパッドカンより上側で本体の垂直方向の長さに沿って取り付けられる、少なくとも１つの側方支持プレートとを有する、掘削プラットフォームの脚を提供する。いくつかの実施形態では、側方支持プレートは、脚の少なくとも１つの内面、少なくとも１つの外面、および／または少なくとも１つの頂点に取り付けられる。ある場合では、側方支持プレートは、スパッドカンが海底に埋め込まれるときに、部分的に埋設される。他の場合では、側方支持プレートは、スパッドカンが海底に埋め込まれるときに、完全に埋設される。
【００１４】
さらに、本発明は、支持部材が構成される多面体の縁を規定するように、互いに平行であり、側方に間隔を空けられる、複数の垂直方向の部材を含む、開口格子骨組みで支持部材の転倒モーメント抵抗を増加させるための装置を提供する。少なくとも１つの側方脚支持体は、支持部材の垂直方向の長さに沿って取り付けられ、支持部材は、固定され、複数の垂直方向の支持部材、複数の水平支持部材、および／または複数の対角支持部材によって特徴付けられる。複数の垂直方向の部材は、一対の垂直方向の部材の間に延在し、それによって面を形成する、複数の水平部材によって相互接続される。複数の垂直方向の部材は、複数の対角支持部材によってさらに相互接続される。ある場合では、多面体は、角柱である。具体的な例では、角柱は、３個、４個、５個、６個、７個、８個、９個、または１０個の縁を有する。いくつかのさらなる、および／または代替の実施形態では、複数の支持部材は、内面の系を形成し、側方支持部材は、少なくとも１つの内面に取り付けられる。いくつかのさらなる、および／または代替の実施形態では、複数の支持部材は、外面の系を形成し、側方支持部材は、少なくとも１つの外面に取り付けられる。いくつかのさらなる、および／または代替の実施形態では、側方支持部材は、支持部材の少なくとも１つの頂点に取り付けられる。
【００１５】
いくつかの例では、少なくとも１つの側方支持部材は、部分的および／または完全に海底に埋め込まれる。具体的な実施形態では、少なくとも２つの側方支持部材の組み合わせは、支持部材に取り付けられ、少なくとも１つの支持部材は、側方支持部材の長さの全体にわたって種々の水平幅を有する。
【００１６】
上記では、以下の本発明の詳細な説明をよりよく理解し得るように、本発明の特徴および技術的な利点をかなり広く概説した。以下、本発明の特許請求の範囲の主題を形成する本発明のさらなる特徴および利点を説明する。当業者は、開示される概念および具体的な実施形態が、本発明の同じ目的を達成するために、改変のための、または他の構造を設計するための基礎として容易に用いられ得ることを理解されたい。当業者はまた、そのような同等の構造が、添付の特許請求の範囲に記載される本発明の精神および範囲から逸脱するものではないことも理解されたい。本発明の機構および動作方法の両方に関して本発明を特徴付けると考えられる新規な特徴は、さらなる目的および利点とともに、添付図面を参照して以下の説明を考慮したときにより良く理解されるであろう。ただし、図面のそれぞれは、例示および説明のために提供されたものに過ぎず、本発明の限定を定義することを意図したものではないことを明確に理解されたい。
例えば、本願発明は以下の項目を提供する。
（項目１）
ジャッキアップ掘削リグの転倒モーメント抵抗を増加させるための方法であって、
少なくとも１つの側方脚支持体を少なくとも１つのジャッキアップ脚に取り付けるステップを含み、該ジャッキアップ脚は、固定され、格子骨組みを有する、方法。
（項目２）
少なくとも１つの側方脚支持体は、前記ジャッキアップ脚の外面、該ジャッキアップ脚の内面、および／または該ジャッキアップ脚の頂点に取り付けられる、項目１に記載の方法。
（項目３）
前記ジャッキアップ脚は、該ジャッキアップ脚に取り付けられたスパッドカンを有する、項目２に記載の方法。
（項目４）
少なくとも１つの側方脚支持部材は、少なくとも１つ以上の水平支持部材、対角支持部材、および／または垂直方向の支持部材に架かる、項目１に記載の方法。
（項目５）
前記側方脚支持体は、前記ジャッキアップが掘削のために位置決めされるときに、部分的に土壌中に埋め込まれる、項目１に記載の方法。
（項目６）
前記側方脚支持体は、前記ジャッキアップが掘削のために位置決めされるときに、実質的に土壌中に埋め込まれる、項目１に記載の方法。
（項目７）
掘削システムであって、
掘削プラットフォームと、
該掘削プラットフォームを支持する脚であって、該脚は格子骨組みである、脚と、
該脚の垂直方向の長さに沿って取り付けられる側方支持部材と
を備えている、掘削システム。
（項目８）
前記側方支持部材は、前記脚の外面、該脚の内面、および／または該脚の頂点に取り付けられる、項目７に記載の掘削システム。
（項目９）
前記側方支持部材は、前記脚が配備されるときに、部分的に海底に埋設される、項目８に記載の掘削システム。
（項目１０）
前記側方支持部材は、前記脚が配備されるときに、完全に海底に埋設される、項目８に記載の掘削システム。
（項目１１）
掘削プラットフォームの脚であって、
頂基部および底基部を有する本体と、
該底基部に取り付けられたスパッドカンと、
該スパッドカンより上側で該本体の垂直方向の長さに沿って取り付けられる少なくとも１つの側方支持プレートと
を備えている、脚。
（項目１２）
前記側方支持プレートは、前記脚の少なくとも１つの内面、少なくとも１つの外面、および／または少なくとも１つの頂点に取り付けられる、項目１１に記載の脚。
（項目１３）
前記側方支持プレートは、前記脚が配備されたときに前記スパッドカンが海底に埋め込まれると、部分的に埋設される、項目１２に記載の脚。
（項目１４）
前記側方支持プレートは、前記脚が配備されたときに前記スパッドカンが海底に埋め込まれると、完全に埋設される、項目１２に記載の脚。
（項目１５）
格子骨組みを有する支持部材の転倒モーメント抵抗を増加させるための装置であって、
複数の垂直方向の部材であって、該複数の垂直方向の部材は、該支持部材が構成される多面体の縁を規定するように、相互に平行であり、側方に間隔を空けられる、複数の垂直方向の部材と、
該支持部材の垂直方向の長さに沿って取り付けられる少なくとも１つの側方脚支持体と
を備え、該支持部材は、開口格子骨組みを形成する、複数の垂直方向の支持部材、複数の水平支持部材、および／または複数の対角支持部材に固定され、複数の垂直方向の支持部材、複数の水平支持部材、および／または複数の対角支持部材を含み、
該複数の垂直方向の部材は、一対の垂直方向の部材の間に延在することによって面を形成する該複数の水平部材によって相互接続され、
該複数の垂直方向の部材は、該複数の対角支持部材によってさらに相互接続される、装置。
（項目１６）
前記多面体は、角柱である、項目１５に記載の装置。
（項目１７）
前記角柱は、３個、４個、５個、６個、７個、８個、９個、および１０個の縁からなる群より選択される縁を有する、項目１６に記載の装置。
（項目１８）
前記複数の支持部材は、内面の系を形成し、前記側方支持部材は、少なくとも１つの内面に取り付けられる、項目１５に記載の装置。
（項目１９）
前記複数の支持部材は、外面の系を形成し、前記側方支持部材は、少なくとも１つの外面に取り付けられる、項目１５に記載の装置。
（項目２０）
前記側方支持部材は、前記支持部材の少なくとも１つの頂点に取り付けられる、項目１５に記載の装置。
（項目２１）
前記少なくとも１つの側方支持部材は、部分的に、そして／または完全に海底に埋め込まれる、項目１５に記載の装置。
（項目２２）
少なくとも２つの側方支持部材の組み合わせは、前記支持部材に取り付けられ、少なくとも１つの支持部材は、該側方支持部材の長さの全体にわたって種々の水平幅を有する、項目１５に記載の装置。
【図面の簡単な説明】
【００１７】
本発明のより完全な理解のために、ここで、添付の図面と関連させて以下の説明を参照する。
【図１Ａ】図１Ａは、脚の頂点に取り付けられた側方脚支持部材を有する、４翼弦ジャッキアップ脚の上面図である。
【図１Ｂ】図１Ｂは、脚の頂点に取り付けられた側方脚支持部材を有する、４翼弦ジャッキアップ脚の部分側面図である。
【図２Ａ】図２Ａは、脚の外面に取り付けられた側方脚支持部材を有する、４翼弦ジャッキアップ脚の上面図である。
【図２Ｂ】図２Ｂは、側方支持部材の垂直方向の長さの全体にわたって種々の水平幅を有する側方支持部材を有する、４翼弦ジャッキアップ脚の部分側面図である。
【図３Ａ】図３Ａは、脚の内面に取り付けられた側方脚支持部材を有する、４翼弦ジャッキアップ脚の上面図である。
【図３Ｂ】図３Ｂは、脚の内面に取り付けられた側方支持部材の組み合わせを有する、４翼弦ジャッキアップ脚の部分側面図である。
【図４Ａ】図４Ａは、脚の内面に取り付けられた複数の側方脚支持部材を有する、４翼弦ジャッキアップ脚の上面図である。
【図４Ｂ】図４Ｂは、ジャッキアップ脚の内面に取り付けられた種々の水平幅を有する、側方支持部材の組み合わせの部分側面図である。
【図５Ａ】図５Ａは、ジャッキアップ脚の頂点に取り付けられた複数の側方脚支持部材を有する、４翼弦ジャッキアップ脚の上面図である。
【図５Ｂ】図５Ｂは、ジャッキアップ脚の頂点に取り付けられた種々の水平幅を有する、補強側方支持部材の組み合わせの部分側面図である。
【図６Ａ】図６Ａは、ジャッキアップ脚の頂点に取り付けられた複数の側方脚支持部材を有する、３翼弦ジャッキアップ脚の上面図である。
【図６Ｂ】図６Ｂは、ジャッキアップ脚の頂点に取り付けられた種々の水平幅を有する、側方支持部材の組み合わせの部分側面図である。
【図７Ａ】図７Ａは、脚の各外面に取り付けられた側方脚支持部材を有する、３翼弦ジャッキアップ脚の上面図である。
【図７Ｂ】図７Ｂは、３翼弦ジャッキアップ脚の少なくとも１つの面に取り付けられた、側方支持部材の部分側面図である。
【図８】図８は、プラットフォームとジャッキアップ脚とを含む、掘削システムを示す図である。
【図９】図９は、脚の内面に取り付けられた複数の側方脚支持部材を有する、円形ジャッキアップの上面図である。
【発明を実施するための形態】
【００１８】
（発明の詳細な説明）
今日、数多くの異なるジャッキアッププラットフォームが使用されている。ジャッキアッププラットフォームまたはユニットは、脚および基礎の構造に従って、２つの主要なカテゴリに分けられる。第１のカテゴリは、全ての脚を相互に接続するマットフーティング上に静置する、マット支持ジャッキアップである。第２のカテゴリは、スパッドカンで支持される、独立した格子脚ジャッキアップユニットである。ある場合では、一部の小規模なユニットの脚は、スパッドカンを備えていない。当該の発明は、特に、スパッドカン上に支持される、格子脚ジャッキアップユニットに関する。
【００１９】
従来の技術のジャッキアップタイプの海洋プラットフォームは、一般的に、三角形のトラスにした脚構造、または他の多角形断面の構成を利用していた。脚構造は、脚構造が構成される幾何学的形状の角を規定するように、相互に平行で、側方に間隔を空けられた、複数の円筒および非円筒形のカラム部材を備える。カラム部材は、隣接するカラム部材の間に延在する交差支柱によって相互接続されて、脚を一体構造体にする。
【００２０】
本明細書で使用する場合、「１つの（ａ）」または「１つの（ａｎ）」は、１つ以上を意味する。特許請求の範囲で使用する場合、「備えている、備える」とともに使用されるときに、単語「１つの（ａ）」または「１つの（ａｎ）」は、１つ以上を意味する。本明細書で使用する場合、「別の」は、少なくとも第２のまたはその他を意味する。
【００２１】
「多面体」および／または「多角形」という用語は、本明細書で使用する場合、平坦面および直線縁を有する幾何学的物体を指す。一般に、ジャッキアップリグの支持部材は、幾何学的な多面体形状であり、具体的には、開口格子構造体を有する角柱である。しかしながら、本発明は、円形の脚を含む全ての脚形状に適用する。
【００２２】
「角柱」という用語は、本明細書で使用する場合、その基部または端部が同じサイズおよび形状を有し、互いに平行であり、角柱の側部のそれぞれは、平行四辺形である形状を指す。例えば、三角柱は、三角形の基部を有し、四角柱は、四角形の基部を有し、五角柱は、五角形の基部を有する、等である。ほとんどの場合、支持部材は、三角形、四角形、または正方形の角柱である。
【００２３】
角柱の縁は、支持構造体の翼弦に対応する。支持構造体の翼弦は、互いに平行であり、支持構造体の骨格の骨組みに対して側方に間隔を空けられた、垂直方向の部材である。
【００２４】
支持構造体の支柱は、一方の翼弦をもう一方に接続する、水平および対角支持部材である。相互に、複数の垂直方向の部材、複数の水平支持部材、および／または複数の対角支持部材は、支持構造体の開口格子骨組みを形成する。
【００２５】
「面」という用語は、本明細書で使用する場合、支持構造体の２つの翼弦によって作成される平面を指す。「外面」という用語は、本明細書で使用する場合、２つの隣接する翼弦によって作成される場所を指す。「内面」という用語は、本明細書で使用する場合、２つの隣接しない翼弦によって作成される平面を指す。
【００２６】
「格子」という用語は、本明細書で使用する場合、通常は十字模様である、規則的なパターンで重ね合わせた、または重畳した、金属、木材、または他の材料の帯でできている開口骨組みを指す。
【００２７】
「頂点」および／または「複数の頂点」は、本明細書で使用する場合、１つ以上の面の角または交点を指す。
【００２８】
一般に、本発明は、支持部材の転倒モーメント抵抗を増加させるための方法、システム、および装置を提供する。ジャッキアップ掘削リグの転倒モーメント抵抗を増加させるための方法は、少なくとも１つの側方脚支持体を少なくとも１つのジャッキアップ脚に取り付けるステップであって、該ジャッキアップ脚は、固定され、開口格子骨組みを有する、ステップを含む。該方法はさらに、少なくとも１つの側方脚支持体を、ジャッキアップ脚の外面、ジャッキアップ脚の内面、および／またはジャッキアップ脚の頂点に取り付けるステップを含む。ジャッキアップ脚は、それに取り付けられたスパッドカンを有し、少なくとも１つの側方脚支持体は、スパッドカンに取り付けられる。
【００２９】
本発明の掘削システムは、掘削プラットフォームと、掘削プラットフォームを支持する少なくとも１つの脚とを含み、脚は、開口格子骨組みを有し、掘削プラットフォームより下側に、そして海底に延在する。少なくとも１つの側方支持部材は、脚の垂直方向の長さに沿って取り付けられる。側方支持部材は、脚の外面、脚の内面、および／または脚の頂点に取り付けられる。側方支持部材は、部分的に海底に埋設することができ、または側方支持部材は、完全に海底に埋設することができる。
【００３０】
開口格子構造体を有する支持部材の一例は、ジャッキアップ掘削リグの脚である。開口格子構造体が土壌に埋め込まれるときに、翼弦および支柱は、周囲土壌の移動にいくらかの抵抗を提供する。側方脚支持体が支持部材に取り付けられると、突出する側方領域の増加によって生じる、周囲土壌の移動に対する側方抵抗が増加する。周囲土壌の側方移動に対するこの抵抗の増加は、対応する転倒モーメント抵抗を増加させる。
【００３１】
一般に、側方脚支持体は、アングル補強剤で補強または強化されたプレートで構築される。例えば、プレートは、適切な材料でできていて、土壌負荷に耐える強度のある、鋼プレートまたは波形シートであってもよい。側方脚支持体は、次いで、支持部材の格子構造に取り付けられる。ある場合では、側方脚支持体は、格子構造に溶接される。他の場合では、側方脚支持体は、ブラケットを使用して取り付けられる。
【００３２】
転倒モーメント抵抗は、支持部材の長さに沿ってどこかに側方支持部材を取り付けることによって増加され得る。側方支持部材は、効果的であるように、少なくとも部分的に埋め込まれるべきである。しかしながら、側方支持部材の配置は、一般的に、ジャッキアップユニットの場所、海底の状態、および他の環境要因に基づく、設計の問題となる。ある場合では、取り付けられた脚支持部材は、脚支持部材が完全に土壌中に埋め込まれるように、ジャッキアップ脚に取り付けられる。他の場合では、取り付けられた側方脚支持部材は、脚支持部材が部分的に土壌中に埋め込まれるように取り付けられる。２つ以上の側方脚支持部材が、ジャッキアップ脚の長さに沿って取り付けられ得る。いくつかの例では、側方脚支持部材は、スパッドカンに取り付けられ得る。ジャッキアップ脚に取り付けられたスパッドカンが存在しない場合、側方脚支持部材は、ジャッキアップ脚の固定部分に取り付けられ得る。場合によっては、より多くの支持部材が、他の１つの脚に設置される。例えば、ジャッキアップユニットが卓越風／波の方向に関して位置決めされる状況では、異なる脚が、異なる支持部材／プレート要件を有し得る。支持部材の配置角度は、直角または斜角とすることができる。どのような角度が使用されても、支持部材は、あらゆる方向からの環境負荷に耐えるように、対称な方法で位置決めされる。支持部材の最適な位置決めは、ユニットの場所、海底の状態、および他の環境要因に基づく、設計の問題となる。
【００３３】
ある種の環境では、側方脚支持部材の追加は、支持部材またはジャッキアップ脚に側方負荷を課し得る。側方脚支持部材によって課されるこの側方負荷の増加を補うには、さらなる強化のために、付加的な翼弦および支柱を支持部材に追加してもよい。
【００３４】
側方脚支持部材は、様々な構成で取り付けられ得る。本明細書で説明される様々な構成は、例示的なものである。脚支持部材は、ジャッキアップ脚に溶接またはボルト留めすることができ、脚に固定するか、または取り外し可能にすることができる。当業者は、本発明の精神および範囲から逸脱することなく、種々の構成の組み合わせ、および例に列記されない構成を作製できることを容易に認識されるであろう。
【００３５】
図１Ａは、脚の頂点に取り付けられた側方脚支持部材を有する、４翼弦ジャッキアップ脚を示す。図１Ａは、４つ全ての頂点に取り付けられた側方脚支持部材１０１、１０２を示しているが、頂点の全てに側方脚支持部材を取り付ける必要はない。いくつかの本発明の態様では、側方脚支持部材１０１、１０２は、少なくとも１つの頂点に取り付けられる。例えば、頂点は、水平支持部材１０８および１０９の交点に形成される。
【００３６】
図１Ｂは、脚の頂点に取り付けられた側方脚支持部材１０１および１０２を有する、４翼弦ジャッキアップ脚を示す。図１Ｂに示されるように、側方支持部材は、少なくとも２つ以上の水平、対角、および／または垂直方向の支持部材に架かり得る。例えば、側方支持部材１０２は、水平支持部材１０３から水平支持部材１０６に架かり、側方支持部材１０１は、水平支持部材１０３から水平支持部材１０５に架かる。
【００３７】
加えて、図１Ｂに示されるように、側方支持部材は、種々の水平幅に架かり得る。例えば、水平支持部材１０３と１０４との間の側方支持部材１０２は、水平支持部材１０４と１０５との間の同じ側方支持部材の幅と比較して、異なる水平幅のものである。ある場合では、側方支持部材の水平幅は、側方支持部材の長さの全体にわたって同じである。また、図１Ｂは、脚の底部に取り付けられたスパッドカン１０７を有する、ジャッキアップ脚の一例を示す。
【００３８】
図２Ａは、脚の外面に取り付けられた側方脚支持部材を有する、４翼弦ジャッキアップ脚を示す。一般に、側方支持部材２０１は、ジャッキアップ脚の少なくとも１つの面２０２に取り付けられる。図２Ａに示されるように、側方支持部材２０１は、ジャッキアップ脚の４つ全ての面に取り付けられる。加えて、図２Ｂは、水平支持部材２０３から水平支持部材２０６に架かる側方支持部材と、側方支持部材の垂直方向の長さの全体にわたって種々の水平幅を有する側方支持部材とを有する、４翼弦ジャッキアップ脚を示す。例えば、水平支持部材２０３と２０４との間の側方支持部材２０１は、水平支持部材２０４と２０５との間の同じ側方支持部材の幅と比較して、異なる水平幅のものである。ある場合では、側方支持部材は、側方支持体の垂直方向の長さの全体にわたって同じ水平幅を有する。側方支持部材は、少なくとも２つ以上の水平、対角、および／または垂直方向の支持部材に架かり得る。
【００３９】
図３Ａは、脚の内面に取り付けられた側方脚支持部材を有する、４翼弦ジャッキアップ脚を示す。ジャッキアップ脚の内面３０２または３０７は、対角支持部材が内平面を形成するときに作成される。図３Ａに示されるように、内平面３０２は、２つの隣接する外平面３０９および３１０を実質的に二分する、対角支持部材によって作成される。また、この例は、ジャッキアップ脚の内面３０７に取り付けられた、複数の側方脚支持部材３０１および３０８を示す。本例では、各内面は、少なくとも１つの側方脚支持部材を含む。側方支持部材は、少なくとも２つ以上の水平、対角、および／または垂直方向の支持部材に架かり得る。
【００４０】
図３Ｂは、脚の内面に取り付けられた側方支持部材の組み合わせを有する、４翼弦ジャッキアップ脚を示す。ある場合では、支持部材の内面に取り付けられる側方支持部材の組み合わせは、実質的に内面の幅全体に架かる。図３Ｂでは、側方支持部材３０１は、水平支持部材３０３から水平支持部材３０６に架かる。水平支持部材３０３と３０４との間の側方支持部材３１１は、水平支持部材３０４と３０５との間の同じ側方支持部材の幅と比較して、異なる水平幅のものである。側方支持部材３０１は、側方支持体の垂直方向の長さの全体にわたって同じ水平幅を有する。側方支持部材は、少なくとも２つ以上の水平、対角、および／または垂直方向の支持部材に架かり得る。
【００４１】
側方支持部材は、少なくとも２つの水平、対角、および／または垂直方向の支持部材に架かる。いくつかの場合において、側方支持部材は、２〜４、２〜５、２〜６、２〜７、２〜８、２〜９、２〜１０、２〜１５、２〜２０、２〜２５、２〜３０、２〜４０、２〜５０、２〜７５、２〜１００、２〜１５０、５〜１０、５〜１５、５〜２０、５〜２５、５〜３０、５〜４０、５〜５０、５〜６０、５〜７５、５〜１００、５〜１２５、５〜１５０、１０〜１５、１０〜２５、１０〜４０、１０〜５０、１０〜７５、１０〜１００、１０〜１２５、２０〜３０、２０〜４０、２０〜５０、２０〜６０、２０〜７５、２０〜１００、２０〜１２５、２０〜１５０、４０〜５０、５０〜６０、６０〜７０、７０〜８０、および／または８０〜９０の水平、対角、および／または垂直方向の支持部材に架かり得る。
【００４２】
図４Ａは、脚の内面に取り付けられた複数の側方脚支持部材を有する、４翼弦ジャッキアップ脚を示す。本例では、脚の内面４０７は、隣接しない頂点を二分する、水平支持部材または対角支持部材によって作成される。側方支持部材４０１は、内面４０７に取り付けられ、側方支持部材４０２は、内面４０８に取り付けられる。図４Ｂは、ジャッキアップ脚の内面に取り付けられた種々の水平幅を有する、側方支持部材の組み合わせを示す。水平支持部材４０３と４０４との間の側方支持部材４０２は、水平支持部材４０４と４０５との間の同じ側方支持部材４０２の幅と比較して、異なる水平幅のものである。水平支持部材４０３から水平支持部材４０６に架かる側方支持部材４０１は、側方支持体の垂直方向の長さの全体にわたって同じ水平幅を有する。側方支持部材は、少なくとも２つ以上の水平、対角、および／または垂直方向の支持部材に架かり得る。
【００４３】
代替として、図９は、脚の内面に取り付けられた複数の側方脚支持部材を有する、円形のジャッキアップ脚を示す。本例では、脚の内面９０７は、隣接しない頂点を二分する、水平支持部材または対角支持部材によって作成される。側方支持部材９０１は、内面９０７に取り付けられ、側方支持部材９０２は、内面９０８に取り付けられる。
【００４４】
図５Ａは、ジャッキアップ脚の頂点に取り付けられた複数の側方脚支持部材を有する、４翼弦ジャッキアップ脚を示す。頂点は、水平支持部材５０８と水平支持部材５０９との交点によって作成される。側方支持部材５０１は、水平支持部材５０８および５０９によって作成される頂点に取り付けられる。側方脚支持体５０１は、水平支持部材または対角支持部材５１０によって二分される。
【００４５】
図５Ｂは、ジャッキアップ脚の頂点に取り付けられた種々の水平幅を有する、補強側方支持部材の組み合わせを示す。水平支持部材５０３と５０４との間の側方支持部材５０２は、水平支持部材５０４と５０５との間の同じ側方支持部材５０２の幅と比較して、異なる水平幅のものである。水平支持部材５０３から水平支持部材５０６に架かる側方支持部材５０１は、側方支持体の垂直方向の長さの全体にわたって同じ水平幅を有する。
【００４６】
図６Ａは、ジャッキアップ脚の頂点に取り付けられた複数の側方脚支持部材を有する、３翼弦ジャッキアップ脚を示す。頂点は、支持部材６０３と６０４との交点に作成される。側方支持部材６０１は、支持部材６０３および６０４によって作成される頂点に取り付けられる。本例では、側方脚支持部材は、３つ全ての頂点に取り付けられる。他の場合では、側方脚支持部材は、少なくとも１つの頂点に取り付けられる。側方支持部材は、少なくとも２つ以上の水平、対角、および／または垂直方向の支持部材に架かり得る。
【００４７】
図６Ｂは、ジャッキアップ脚の頂点に取り付けられた種々の水平幅を有する、側方支持部材の組み合わせを示す。水平支持部材６０５から水平支持部材６０７に架かる側方支持部材６０２は、側方支持部材の長さの全体にわたって水平幅が変動する。水平支持部材６０５から水平支持部材６０６に架かる側方支持部材６０１は、側方支持部材の長さの全体にわたって水平幅が変動しない。側方支持部材６０１および６０２は、相対的に長さおよび水平幅が変動する。側方支持部材は、少なくとも２つ以上の水平、対角、および／または垂直方向の支持部材に架かり得る。
【００４８】
図７Ａは、脚の各外面に取り付けられた側方脚支持部材を有する、３翼弦ジャッキアップ脚を示す。側方脚支持部材７０１は、ジャッキアップ脚の外面７０２に取り付けられる。他の例では、側方脚支持部材は、支持部材の全ての外面および／または少なくとも１つの外面に取り付けられる。他の例では、側方脚支持体は、３つの翼弦を有する支持部材の少なくとも１つの内面に取り付けられる。３つの翼弦を有する支持部材の内面は、支持部材の２つの隣接する外面と交差する水平支持部材および／または対角支持部材を使用して作成され得る。図７Ｂは、３翼弦ジャッキアップ脚の少なくとも１つの面に取り付けられた、側方支持部材を示す。水平支持部材７０３から水平支持部材７０４に架かる側方支持部材７０１は、ジャッキアップ脚に取り付けられ、側方支持部材の長さの全体にわたって同じ水平幅を有する。ある場合では、側方支持部材は、側方支持部材の長さの全体にわたって種々の水平幅を有する。側方支持部材は、少なくとも２つ以上の水平、対角、および／または垂直方向の支持部材に架かり得る。
【００４９】
図８は、プラットフォーム８０６とジャッキアップ脚とを含む、掘削システムを示す。具体的には、図８は、ジャッキアップ脚８０２の本体の一部が海底に埋め込まれたジャッキダウン位置にある、ジャッキアップ掘削リグを示す。ジャッキアップ脚の本体は、同じ幾何学的形状を有する基頂部および基底部を有する、基頂部８０１および基底部８０３によって垂直方向の長さが制限される。ある場合では、基底部は、取り付けられたスパッドカンを有する。他の場合では、基底部は、取り付けられたスパッドカンを有さない。加えて、図８は、複数の側方支持部材８０４および８０５を示す。側方支持部材８０４は、部分的に海底に埋め込まれ、側方支持部材８０５は、完全に海底に埋め込まれる。
【００５０】
本発明の応用は、海洋構造物が支持されている特定の数の脚に制限されないことに留意されたい。大部分の海洋構造物は、４つ以上の脚によって支持されるが、１つ脚の構造も存在する。
【００５１】
本発明およびその利点を詳細に説明してきたが、添付の特許請求の範囲によって定義される本発明の精神および範囲から逸脱することなく、本発明に様々な変形、置換、および改変が行われ得ることを理解されたい。さらに、本出願の範囲は、本明細書に説明されるプロセス、機械、製造、組成物、手段、方法、およびステップの特定の実施形態に限定されることを意図したものではない。当業者は、本発明に従って利用され得る、本明細書で説明する対応する実施形態と実質的に同じ機能を果たす、または実質的に同じ結果が得られる、現在存在する、または今後開発される、プロセス、機械、製造、組成物、手段、方法、またはステップを、本発明の開示から容易に理解するであろう。したがって、添付の特許請求の範囲は、そのようなプロセス、機械、製造、組成物、手段、方法、またはステップを、それらの範囲内に含むことが意図される。
【図１Ａ】
0005669270.tif 000002
【図１Ｂ】
0005669270.tif 000003
【図２Ａ】
0005669270.tif 000004
【図２Ｂ】
0005669270.tif 000005
【図３Ａ】
0005669270.tif 000006
【図３Ｂ】
0005669270.tif 000007
【図４Ａ】
0005669270.tif 000008
【図４Ｂ】
0005669270.tif 000009
【図５Ａ】
0005669270.tif 000010
【図５Ｂ】
0005669270.tif 000011
【図６Ａ】
0005669270.tif 000012
【図６Ｂ】
0005669270.tif 000013
【図７Ａ】
0005669270.tif 000014
【図７Ｂ】
0005669270.tif 000015
【図８】
0005669270.tif 000016
【図９】
0005669270.tif 000017